(57)【特許請求の範囲】
【請求項１】
一端部に軸受部を備えると共に、内部に第１回路基板を有する第１筐体と、
一端部に前記軸受部に挿入される金属製の軸部材を備えるとともに、内部に第２回路基板を有する第２筐体と、
前記第１筐体および前記第２筐体内に配される前記第１回路基板および前記第２回路基板を相互に電気的に接続する制御信号配線と、
前記制御信号配線の前記第２筐体側の端部に接続されて、前記第２回路基板の一方側の実装面に接続されるコネクタ部材と、
を備える電子機器において、
前記第２回路基板に結合されて、前記コネクタ部材をカバーするカバー部材を備え、
前記軸部材が、前記第２筐体の厚さ方向に前記第２回路基板のグランド部または介在する通電部材と当接して前記第２回路基板のグランド部と電気的に接続される接続部を有し、
前記カバー部材が、前記第２回路基板の前記一方側の実装面に当接する当接部を有し、
前記第２筐体が、前記カバー部材を前記第２回路基板へ向けて押圧する押圧部を有することを特徴とする、電子機器。
【請求項２】
前記第２筐体は、第１ケース部材と、前記一方側の実装面に対向して配設されるとともに前記第１ケース部材に結合される第２ケース部材と、を有して構成され、
前記押圧部は、前記第２ケース部材の、前記カバー部材に対向する位置に配設されて、前記第１ケース部材と前記第２ケース部材とが結合された状態で前記カバー部材を前記第２回路基板へ向けて押圧することを特徴とする、請求項１記載の電子機器。
【請求項３】
前記第２ケース部材は、前記第２筐体内部で螺合されるネジ部材が挿通される、前記第２筐体内部に突設されたボス部を有し、
前記押圧部は、前記ボス部によって構成されることを特徴とする、請求項２記載の電子機器。
【請求項４】
前記当接部は、前記制御信号配線の位置決めを行うことを特徴とする、請求項１から３までの何れか１項記載の電子機器。
【発明の詳細な説明】
【技術分野】
【０００１】
この発明は、一端部に軸受部を備えると共に、内部に第１回路基板を有する第１筐体と、一端部に前記軸受部に挿入される金属製の軸部材を備えるとともに、内部に第２回路基板を有する第２筐体と、前記第１筐体および前記第２筐体内に配される前記第１回路基板および前記第２回路基板を相互に電気的に接続する制御信号配線と、前記制御信号配線の前記第２筐体側の端部に接続されて、前記第２回路基板の一方側の実装面に接続されるコネクタ部材と、を備える電子機器に関するものである。
【背景技術】
【０００２】
上記の如き電子機器としては例えば携帯電話機が知られており、従来の携帯電話機は、第１筐体としての例えば液晶側筐体と、第２筐体としての例えば文字入力側筐体とで構成され、それら液晶側筐体と文字入力側筐体との一端部同士が折りたたみ式や水平回転式もしくは二軸ヒンジ式等の連結機構により連結されており、それら液晶側筐体と文字入力側筐体との内部に配された回路基板同士は、制御信号配線としてのフレキシブル配線基板やケーブルによって電気的に接続されている（例えば特許文献１参照）。
【０００３】
かかる携帯電話機における連結機構は、例えば液晶側筐体の一端部に軸受部を備えるとともに、例えば文字入力側筐体の一端部に前記軸受部に挿入される軸部材を備えており、その連結機構の強度を確保するために、前記軸部材は金属製とされている。そしてその金属製の軸部材は、基板等のグランド部に電気的に接続する必要がある（上記特許文献１参照）。
【０００４】
上記金属製の軸部材と基板のグランド部とを電気的に接続する方法としては、金属製の軸部材に板バネを取り付け、筐体内に基板を組み込んだ時にその板バネを基板のグランド部に押し付けて導通を取る方法や、金属製の軸部材に突起を設け、筐体内に基板を組み込んだ際にその突起が基板のグランド部もしくは介在する金属フレームに押し当てられるようにして導通を取る方法があるが、板バネを取り付ける前者の方法は部品点数が増えるとともに組立工数も増えてしまうため、突起を設ける後者の方法が望ましい。
【特許文献１】特開２００６−６７５２５号公報
【発明の開示】
【発明が解決しようとする課題】
【０００５】
しかしながら上記のように、金属製の軸部材に突起を設け、筐体内に基板を組み込んだ際にその突起が基板のグランド部もしくは介在する金属フレームに押し当てられるようにする構造において、上記フレキシブル配線基板やケーブルがその金属製の軸部材の近傍に配置されていると、それらフレキシブル配線基板やケーブルが邪魔になって、金属製の軸部材の突起と基板のグランド部や介在する金属フレームとの接触圧を充分に確保できない可能性があるという問題がある。
【０００６】
そして、仮に筐体に金属製の軸部材の突起と基板のグランド部や介在する金属フレームとの接触圧を直接確保するリブ等を設けた場合には、筐体を組み立てた後はそのリブ等がフレキシブル配線基板やケーブルを踏みつけているか否かの確認が困難であり、フレキシブル配線基板やケーブルの組み込み時に上記リブ等がそれらフレキシブル配線基板やケーブルを踏みつける可能性があるという問題がある。
【課題を解決するための手段】
【０００７】
この発明は、上記課題を有利に解決することを目的とするものであり、請求項１記載のこの発明の電子機器は、一端部に軸受部を備えると共に、内部に第１回路基板を有する第１筐体と、一端部に前記軸受部に挿入される金属製の軸部材を備えるとともに、内部に第２回路基板を有する第２筐体と、前記第１筐体および前記第２筐体内に配される前記第１回路基板および前記第２回路基板を相互に電気的に接続する制御信号配線と、前記制御信号配線の前記第２筐体側の端部に接続されて、前記第２回路基板の一方側の実装面に接続されるコネクタ部材と、を備える電子機器において、前記第２回路基板に結合されて、前記コネクタ部材をカバーするカバー部材を備え、前記軸部材が、前記第２筐体の厚さ方向に前記第２回路基板のグランド部または介在する通電部材と当接して前記第２回路基板のグランド部と電気的に接続される接続部を有し、前記カバー部材が、前記第２回路基板の前記一方側の実装面に当接する当接部を有し、前記第２筐体が、前記カバー部材を前記第２回路基板へ向けて押圧する押圧部を有することを特徴としている。
【発明の効果】
【０００８】
請求項１記載のこの発明の電子機器にあっては、第１筐体および第２筐体内に配される第１回路基板および第２回路基板を相互に電気的に接続する制御信号配線の第２筐体側の端部に接続されてその第２回路基板の一方側の実装面に接続されるコネクタ部材が、その第２回路基板に結合されたカバー部材でカバーされ、また第２筐体の一端部に設けられて第１筐体の一端部の軸受部に挿入される金属製の軸部材が、第２筐体の厚さ方向にその第２回路基板または介在する通電部材と当接してその第２回路基板のグランド部と電気的に接続される接続部を有しており、第２筐体の押圧部が前記カバー部材を第２回路基板へ向けて押圧し、そのカバー部材の、第２回路基板の前記一方側の実装面に当接する当接部がその第２回路基板を押し下げて、その第２回路基板のグランド部と金属製の軸部材の接続部との電気的接続を確実ならしめる。従ってこの発明の電子機器によれば、第２回路基板のグランド部と金属製の軸部材との導通を確保することができる。
【発明を実施するための最良の形態】
【０００９】
以下、本発明の実施の形態を実施例によって、図面に基づき詳細に説明する。ここに、図１は、この発明の電子機器の一実施例としての折り畳み式携帯電話機の文字入力側筐体の構造を示す分解斜視図、図２（ａ），（ｂ）は、その実施例の携帯電話機の外観を液晶側筐体と文字入力側筐体とを相互に開いた状態で正面側および背面側から見てそれぞれ示す斜視図である。
【００１０】
この実施例の携帯電話機１は、第１筐体としての液晶側筐体２と、第２筐体としての文字入力側筐体３とを備え、液晶側筐体２は、フロントケース２ａとリアケース２ｂとが相互に嵌合固定されて構成されて、その一端部に軸受部２ｃを備え、文字入力側筐体３は、フロントケース３ａとリアケース３ｂとが相互に嵌合されるとともにネジで固定されて構成されて、その一端部に液晶側筐体２の軸受部２ｃの軸線方向両端部にそれぞれ挿入嵌合される二個の、金属製の軸部材としての金属ホルダ４を備えており、液晶側筐体２と文字入力側筐体３とは、それら軸受部２ｃと金属ホルダ４とからなる連結機構としてのヒンジ部を介して相互に開閉自在とされ、金属ホルダ４内には空洞が形成されている。
【００１１】
液晶側筐体２は、フロントケース２ａとリアケース２ｂとの内部に図示しない第１回路基板を内蔵し、その第１回路基板の表面に設置された液晶表示ユニット５がフロントケース２ａから表出している。またその第１回路基板には、スピーカ等の各種電子部品が実装されて電気的に接続されている。一方、文字入力側筐体３は、フロントケース３ａとリアケース３ｂとの内部に第２回路基板６を内蔵し、その第２回路基板６の表面に通電部材および電磁シールド部材としての金属フレーム７を介して設置されたキーボタンシート８がフロントケース３ａから表出している。またその第２回路基板６には、マイク等の各種電子部品が実装されて電気的に接続されている。そしてリアケース３ｂにはバッテリの取り付け部３ｃが設けられている。
【００１２】
液晶側筐体２内の上記第１回路基板上の電子部品と文字入力側筐体３内の第２回路基板６上の電子部品とは、ヒンジ部の金属ホルダ４の空洞内を挿通された制御信号配線としての二束のケーブル９，１０によって電気的に接続されており、具体的にはそれらのケーブル９，１０の両端部にそれぞれ第１コネクタ１１が設けられ、また液晶側筐体２内の第１回路基板の背面と文字入力側筐体３内の第２回路基板６の背面とにそれぞれ二個の第２コネクタ１２が設けられ（第２回路基板６側のみ図３および図４（ａ）に示す）、それらケーブル９，１０の一端部の第１コネクタ１１と液晶側筐体２内の第１回路基板の二個の上記第２コネクタとが嵌合接続されるとともに、図１に示すように、それらケーブル９，１０の他端部の第１コネクタ１１と文字入力側筐体３内の第２回路基板６の二個の第２コネクタ１２とが嵌合接続されている。
【００１３】
しかしてこの実施例の携帯電話機１では、図１に示す如く、文字入力側筐体３内の第２回路基板６の二個の第２コネクタ１２と嵌合接続されたケーブル９，１０の他端部の第１コネクタ１１を付近のケーブル９，１０の端部を含めて覆うように、カバー部材としての概略矩形の板状の小型シールドケース１３が配置され、その小型シールドケース１３は樹脂材料により形成されていて、図６に裏面側を示すように、第２回路基板６の上端部６ａと掛合する二個のツメ１３ａと、第２回路基板６の側端部６ｂと掛合する一個のツメ１３ｂと、第２回路基板６の貫通孔６ｃと嵌合する位置決め用の一個のボス１３ｃとを有するとともに、ケーブル９，１０の他端部の二個の第１コネクタ１１に対向する位置に二本の突条１３ｄを有し、さらにケーブル９，１０の他端部の二個の第１コネクタ１１に対向する裏面全体に金属の蒸着加工により形成された導電性被膜１３ｅと、第２回路基板６の側端部６ｂに近い方のツメ１３ａに隣接して位置して第２回路基板６の表面に当接する概略直角三角形状の当接部１３ｆとを有している。
【００１４】
この小型シールドケース１３は、図７に示すように、二個のツメ１３ａを第２回路基板６の上端部６ａと掛合させるとともに、一個のツメ１３ｂを第２回路基板６の側端部６ｂと掛合させ、さらに一個のボス１３ｃを第２回路基板６の貫通孔６ｃと嵌合させることで、ケーブル９，１０の他端部の第１コネクタ１１を付近のケーブル９，１０の端部を含めて覆う、第２回路基板６の背面側の所定位置に配置されて嵌着固定される。第２回路基板６の背面には、弾性通電部材としての図示しないタブ状の板バネが突設されており、この板バネは、第２回路基板６に嵌着固定された小型シールドケース１３の裏面の導電性被膜１３ｅに押圧されて接触して、その導電性被膜１３ｅと第２回路基板６の図示しないグランド部とを電気的に導通させる。
【００１５】
第２回路基板６に嵌着固定された小型シールドケース１３は、文字入力側筐体３内では、図８および図９に示すように、リアケース３ｂの押圧部としてのネジボス３ｄやリブ３ｅ等により第２回路基板６に向けて押圧され、その第２回路基板６は、第２回路基板６に一体的に結合された金属フレーム７を介してフロントケース３ａで支持されているので、小型シールドケース１３は、当接部１３ｆで第２回路基板６に当接するとともに、二本の突条１３ｄを介してケーブル９，１０の他端部の二個の第１コネクタ１１を第２回路基板６の二個の第２コネクタ１２に押し付けて確実に嵌合接続させ、さらにそれら第１コネクタ１１付近のケーブル９，１０の端部を、図７に示すように、当接部１３ｆの傾斜した辺で第２回路基板６の側端部６ｂ側へ押し退けて当接部１３ｆによる踏みつけを防止しつつ、第２回路基板６の表面に押し付けて動かないように固定する。
【００１６】
またこの実施例の携帯電話機１では、図４（ａ）およびそのＡ部を拡大した図４（ｂ）に示すように、二個の金属ホルダ４にそれぞれ、フロントケース３ａの内面に沿ってキーボタンシート８へ向けて突出する、接続部としての突部４ａが形成されるとともに、それらの突部４ａにそれぞれ、リアケース３ｂへ向けて突出する小さな二個の突起４ｂが形成されている一方、金属フレーム７の、二個の金属ホルダ４に隣接する端部の両隅部に、図５に示すように、段部７ａが形成されており、金属フレーム７のそれらの段部７ａは、上記のようにリアケース３ｂのネジボス３ｄやリブ３ｅ等により小型シールドケース１３の当接部１３ｆを介して押圧された第２回路基板６により二個の金属ホルダ４の突部４ａに押し付けられて、それらの突部４ａの小さな突起４ｂに充分な接触圧で確実に接触する。
【００１７】
さらにこの実施例の携帯電話機１では、図３に示すように、小型シールドケース１３の表面上に重ねて、外部メモリとしてのメモリカード用コネクタ付きフレキシブル配線基板１４が配設されており、そのメモリカード用コネクタ付きフレキシブル配線基板１４は第２回路基板６に電気的に接続され、またそのメモリカード用コネクタには、文字入力側筐体３のリアケース３ｂの側部に設けられたスロット３ｆを介して図示しないメモリカードを抜き差しすることができる。
【００１８】
さらにこの実施例の携帯電話機１では、上側のケーブル９の表面に巻き付けられた導電性テープ１５によってそのケーブル９が全体的に覆われており、そのケーブル９の上記他端部を覆う導電性テープ１５にも、第２回路基板６に嵌着固定された小型シールドケース１３の裏面の導電性被膜１３ｅが押し付けられて電気的に接触している。
【００１９】
かかるこの実施例の携帯電話機１にあっては、ケーブル９，１０の上記他端部の二個の第１コネクタ１１が、第２回路基板６に結合された小型シールドケース１３でカバーされ、また金属ホルダ４が、文字入力側筐体３の厚さ方向に、その第２回路基板６に設けられた金属フレーム７の段部７ａと当接してその第２回路基板６のグランド部と介在する金属フレーム７を介して間接的に電気的に接続されるの突部４ａを有しており、文字入力側筐体３のリアケース３ｂのネジボス３ｄやリブ３ｅ等が小型シールドケース１３を第２回路基板６へ向けて押圧し、その小型シールドケース１３の当接部１３ｆが第２回路基板６を押し下げて、その第２回路基板６のグランド部と金属ホルダ４の突部４ａとの金属フレーム７を介する電気的接続を確実ならしめる。しかも、文字入力側筐体３のリアケース３ｂのネジボス３ｄやリブ３ｅ等が、第２回路基板６を直接押圧せず小型シールドケース１３の当接部１３ｆを介して押圧するので、ケーブル９，１０が金属ホルダ４の近傍に配置されていてもそのケーブル９，１０が金属ホルダ４の突部４ａと、その突部４ａと第２回路基板６基板のグランド部との間に介在する金属フレーム７との接触圧の確保の邪魔になることがない。従ってこの実施例の携帯電話機１によれば、第２回路基板６のグランド部と金属ホルダ４との導通を確保することができる。
【００２０】
さらにこの実施例の携帯電話機１によれば、文字入力側筐体３のリアケース３ｂのネジボス３ｄやリブ３ｅ等が、第２回路基板６を直接押圧せず小型シールドケース１３の当接部１３ｆを介して押圧するので、小型シールドケース１３を第２回路基板６に組み付けた後でもその当接部１３ｆがケーブル９，１０を踏みつけているか否かの確認が容易であり、それゆえ、ケーブル９，１０の配置に遊びがあったり、ケーブル９，１０の長さに余りがあったりしても、そのケーブル９，１０の組み込み時に小型シールドケース１３の当接部１３ｆがそのケーブル９，１０を踏みつけるのを有効に防止することができる。
【００２１】
さらにこの実施例の携帯電話機１によれば、文字入力側筐体３が、第１ケース部材としてのフロントケース３ａと、第２回路基板６の第２コネクタ１２が設けられた実装面に対向して配設されるとともにフロントケース３ａに結合されるリアケース３ｂとを有して構成され、ネジボス３ｄやリブ３ｅ等がリアケース３ｂの、小型シールドケース１３に対向する位置に配設されて、フロントケース３ａとリアケース３ｂとが結合された状態で小型シールドケース１３を第２回路基板６へ向けて押圧することから、文字入力側筐体３の組立の際に、フロントケース３ａとリアケース３ｂとの結合により、ネジボス３ｄやリブ３ｅ等が小型シールドケース１３を第２回路基板６へ向けて押圧するので、第２回路基板６のグランド部と金属ホルダ４との導通を容易に確保することができる。
【００２２】
そしてこの実施例の携帯電話機１によれば、リアケース３ｂが、文字入力側筐体３内で螺合されるネジが挿通される、文字入力側筐体３内に突設されたネジボス３ｄを有し、押圧部がそのネジボス３ｄによっても構成されることから、文字入力側筐体３のリアケース３ｂに別途に押圧部を設ける必要がないので文字入力側筐体３の形状が単純になり、文字入力側筐体３を安価に製造することができる。
【００２３】
さらにこの実施例の携帯電話機１によれば、小型シールドケース１３の当接部１３ｆがその傾斜した辺で第２回路基板６の側端部６ｂ側へケーブル９，１０を押し退けてケーブル９，１０の位置決めを行うことから、ケーブル９，１０の長さに余りがあっても、文字入力側筐体３内のケーブル９，１０の配置のバラつきを防止してケーブル９，１０を電磁的および静電的に安定させ、携帯電話機１の性能のバラつきを有効に防止することができる。
【００２４】
以上、図示例に基づき説明したが、この発明は上述の例に限定されるものでなく、特許請求の範囲の記載範囲内で適宜変更し得るものであり、例えばこの発明は、折り畳み式だけでなく水平回転式や二軸ヒンジ式の携帯電話機にも適用でき、さらには携帯電話機以外の、例えばパームトップコンピュータ等の電子機器にも適用することができる。
【００２５】
また、上述した実施形態では、金属ホルダ４と第２回路基板６のグランド部とが金属フレーム７を介して間接的に電気的に接続される構成について説明したが、金属ホルダ４と第２回路基板６のグランド部とが直接的に電気的に接続されるように構成しても良い。
【産業上の利用可能性】
【００２６】
かくしてこの発明の電子機器によれば、第２回路基板のグランド部と金属製の軸部材との導通を確保することができる。
【図面の簡単な説明】
【００２７】
【図１】この発明の電子機器の一実施例としての折り畳み式携帯電話機の文字入力側筐体の構造を示す分解斜視図である。
【図２】（ａ），（ｂ）は、上記実施例の携帯電話機の外観を液晶側筐体と文字入力側筐体とを相互に開いた状態で正面側および背面側から見てそれぞれ示す斜視図である。
【図３】上記実施例の携帯電話機の文字入力側筐体の構造をリアケースを省略して示す分解斜視図である。
【図４】（ａ）は、上記実施例の携帯電話機の文字入力側筐体の構造をリアケースを省略するとともに金属ホルダとキーボタンシートとをフロントケースに組み付けた状態で示す分解斜視図、（ｂ）は、その（ａ）中のＡ部を拡大して示す斜視図である。
【図５】上記実施例の携帯電話機の文字入力側筐体内に組み込まれる金属フレームの、文字入力側筐体のフロントケースに向く面を示す斜視図である。
【図６】上記実施例の携帯電話機の文字入力側筐体内の第２回路基板の表面とその第２回路基板に配設する小型シールドケースの裏面とを示す分解斜視図である。
【図７】上記文字入力側筐体内に組み込まれる第２回路基板の背面上に配設した小型シールドケースを、そこに重なったメモリカード用コネクタ付きのフレキシブル配線基板を省略して示す斜視図である。
【図８】上記実施例の携帯電話機の文字入力側筐体のリアケースを裏側から見て示す斜視図である。
【図９】上記実施例の携帯電話機の文字入力側筐体の概略上半部をメモリカード用コネクタ付きのフレキシブル配線基板を省略して示す縦断面図である。
【符号の説明】
【００２８】
１  携帯電話機
２  液晶側筐体
２ａ，３ａ  フロントケース
２ｂ，３ｂ  リアケース
３  文字入力側筐体
３ｃ  バッテリの取り付け部
３ｄ  ネジボス
３ｅ  リブ
３ｆ  スロット
４  金属ホルダ
５  液晶表示ユニット
６  第２回路基板
７  金属フレーム
８  キーボタンシート
９，１０  ケーブル
１１  第１コネクタ
１２  第２コネクタ
１３  小型シールドケース
１３ａ，１３ｂ  ツメ
１３ｃ  ボス
１３ｄ  突条
１３ｅ  導電性被膜
１３ｆ  当接部
１４  メモリカード用コネクタ付きフレキシブル配線基板
１５  導電性テープ
【図１】
0004563960.tif 000002
【図２】
0004563960.tif 000003
【図３】
0004563960.tif 000004
【図４】
0004563960.tif 000005
【図５】
0004563960.tif 000006
【図６】
0004563960.tif 000007
【図７】
0004563960.tif 000008
【図８】
0004563960.tif 000009
【図９】
0004563960.tif 000010